(57)【要約】      （修正有）【課題】遮熱塗装板及び非遮熱塗装板を所定の箇所に載置するだけで、温度センサに当接させて、簡単に遮熱効果を比較して評価可能な装置を提供する。【解決手段】２枚の塗装板の遮熱効果を比較して評価する遮熱効果比較評価装置１は、蓋付きの箱型ケース２を備え、箱型ケース２は、同じ大きさの第１及び第２の収納室１６、１７と、蓋７に取り付けられた第１及び第２の加熱用ランプ３、４と、第１及び第２の温度計測表示装置５、６と、を備え、温度計測に際して、２枚の塗装板を、それぞれ収納室１６、１７の内側周面に沿って配置された断熱性樹脂板２１の上方に載置すると、温度計測表示装置５、６の温度センサは、それぞれ２枚の塗装板に当接して温度計測が可能となるように、収納室１６、１７に取り付けられている。【選択図】図１
2020046320.tif 000002
【特許請求の範囲】
【請求項１】
蓋付きの箱型ケースと、第１及び第２の加熱用ランプと、第１及び第２の温度計測表示装置と、を備え、第１及び第２の塗装板のそれぞれについて温度計測をして、遮熱効果を比較評価するために使用される遮熱効果比較評価装置であって、
箱型ケースは、同じ大きさの第１及び第２の収納室に区画されており、
第１及び第２の収納室は、それぞれ内面に沿って断熱材が配置されており、
第１及び第２の加熱用ランプは、それぞれ第１の塗装板及び第２の塗装板に対して互いに同じ一定の角度で照射可能に、蓋の内面に固定されており、
第１及び第２の温度計測表示装置は、それぞれ第１の塗装板及び第２の塗装板の温度計測のための温度センサを備えており、
第１及び第２の温度計測表示装置の温度センサは、それぞれ温度計測のために第１及び第２の収納室に置かれる第１の塗装板及び第２の塗装板に当接又は近接する高さに、第１及び第２の収納室内に取り付けられている構成であることを特徴とする遮熱効果比較評価装置。
【請求項２】
蓋付きの箱型ケースと、第１及び第２の加熱用ランプと、第１及び第２の温度計測表示装置と、を備え、第１及び第２の塗装板のそれぞれについて温度計測をして、遮熱効果を比較評価するために使用される遮熱効果比較評価装置であって、
箱型ケースは、平面視で長手方向中央で、区画板によって同じ大きさの第１及び第２の収納室に区画されており、
第１及び第２の収納室は、それぞれ底面と左右前後の内側周面に沿って断熱材が配置されており、
内側周面に沿って配置された断熱材の上には、第１の塗装板及び第２の塗装板を、水平に載置可能な枠板が配置されており、
蓋と箱型ケースの間には、蓋を箱型ケース対して所定の角度で開いた状態で維持する支持アームが設けられており、
第１及び第２の加熱用ランプは、それぞれ蓋を上記所定の角度で開いた状態において、第１の塗装板及び第２の塗装板に対して互いに同じ一定の角度で照射可能に、蓋の内面に取付杆によって固定されており、
第１及び第２の温度計測表示装置は、それぞれ第１の塗装板及び第２の塗装板の温度計測のための温度センサと温度表示器を備えており、
第１及び第２の温度計測表示装置の温度センサは、それぞれ温度計測のために第１及び第２の収納室の枠板上に載置される第１の塗装板及び第２の塗装板に当接する高さに、第１及び第２の収納室内に上方に向けて取り付けられている構成であることを特徴とする遮熱効果比較評価装置。
【請求項３】
第１及び第２の収納室において、前記断熱材は、区画板に沿ってかつ区画板との間に、塗装板を収納可能な収納用隙間を残して配置されている構成であることを特徴とする請求項１又は２に記載の遮熱効果比較評価装置。
【請求項４】
第１及び第２の温度計測表示装置の温度表示器は、それぞれ箱型ケースの外部に設けられており、温度センサと温度表示器を接続するデータ線は、箱型ケースに形成された挿通孔を通して箱型ケースの内外に延びるように設けられている構成であることを特徴とする請求項１、２又は３に記載の遮熱効果比較評価装置。
【発明の詳細な説明】
【技術分野】
【０００１】
本発明は、遮熱塗料を塗装し遮熱塗膜の形成された遮熱塗装板と非遮熱塗装板、或いは異なる２枚の遮熱塗装板等、２枚の塗装板を加熱し温度計測して、遮熱効果を比較して評価する遮熱効果比較評価装置に関するものである。
【背景技術】
【０００２】
近年、地球環境の温度の上昇傾向が著しいが、建築物に照射される太陽光の熱を遮熱して、建築物内の温度を下げて適正温度に維持し、或いは冷房に必要なエネルギー消費を抑えることが、益々要請がされている。
【０００３】
従来、建築物の壁、屋根等の材料として、遮熱塗料を塗装して遮熱塗膜を形成した遮熱塗装板を利用したり、或いは、既存の建築物の壁、屋根等の板材に遮熱塗料を塗装して遮熱塗膜を形成し遮熱塗装板とする技術が知られている。
【０００４】
遮熱塗料は、いろいろな塗料メーカが製造販売されているが、それらの遮熱塗料による塗膜を形成して成る遮熱塗装板の遮熱効果を、非遮熱塗装板又は他の遮熱塗装板と比較して簡単に評価することができると、最も大きな遮熱効果を有する遮熱塗装板を選択することができ、或いは、建築物における遮熱塗装板の適用箇所に最適な遮熱塗装板を選択することができる。又、建築物の施主に対して遮熱塗装板の遮熱効果を分かりやすく説明することができる。
【０００５】
従来例として、赤外線を放射する光源と、１枚の板の片側に非遮熱塗料を他方側に遮熱塗料を塗装した塗膜を形成した塗装板（或いは非遮熱塗料を塗装した塗装板と遮熱塗料を塗装した塗装板の２枚の塗装板）と、塗装板の裏側に取り付けた温度センサ（塗装板の裏側に貼り付けられたサーミスタ等）と、温度センサに接続した温度表示装置からなる遮熱塗膜の遮熱効果評価装置であって、光源と塗装板との間の相対距離を変更する手段、塗装板への赤外線の照射角度を変更する手段を有する遮熱塗膜の遮熱効果評価装置が知られている（特許文献１参照）。
【先行技術文献】
【特許文献】
【０００６】
【特許文献１】実用新案登録第３１６６５３４号公報
【発明の概要】
【発明が解決しようとする課題】
【０００７】
従来例（特許文献１）に記載の遮熱効果評価装置は、１枚の板の片側に非遮熱塗料を他方側に遮熱塗料を塗装し塗膜を形成した塗装板（或いは非遮熱塗料を塗装した塗装板と遮熱塗料を塗装した塗装板の２枚の塗装板）であって、裏側にサーミスタ等が貼り付けられた塗装板の遮熱効果を評価する装置である。従って、塗料メーカ等が遮熱塗料の遮熱効果を評価する際に、予め裏側にサーミスタ等を貼り付けた塗装板を評価するには適している。
【０００８】
しかしながら、建設業者や塗装業者等が、現場において、複数メーカ、複数種の遮熱塗料、非遮熱塗料をサンプル用の板に塗布し、それらの塗装板の遮熱効果を次々と評価する場合は、それぞれに対してサーミスタ等を貼り付けたり、場合によっては、評価済みの塗装板から剥がして他の塗装板に貼り付け直したりしなくてはならないので、評価作業が困難となる。
【０００９】
また、従来例に記載の遮熱効果評価装置は、明細書及び図面の限りでは、１つの光源に対して、１枚の板の片側に非遮熱塗料を他方側に遮熱塗料を塗装し塗膜を形成した塗装板（或いは非遮熱塗料を塗装した塗装板と遮熱塗料を塗装した塗装板の２枚の塗装板）を配置しているが、その配置の仕方及び光源の照射方向調整次第では、２枚の塗装板に対する光の照射度合いが異なるので、精度良い遮熱効果を評価が得られない可能性がある。
【００１０】
少なくとも、１枚の板の片側に非遮熱塗料を他方側に遮熱塗料を塗装し塗膜を形成した塗装板については、１枚の板において非遮熱塗料と遮熱塗料のそれぞれを塗装した部分間で熱伝導して等温化するために、両者の温度差を十分精度良く計測することは難しいもの考えられる。
【００１１】
本発明は、遮熱効果が比較して評価される遮熱塗装板、非遮熱塗装板にサーミスタ等を貼り付けたりすることなく、単に、遮熱塗装板、非遮熱塗装板を所定の箇所に載置するだけで、温度センサに当接又は近接させて、簡単に遮熱効果を比較して評価することができる、使い勝手の良い遮熱効果評価装置を実現することを課題とする。
【００１２】
また、本発明は、遮熱塗装板、非遮熱塗装板等、比較する２枚の塗装板の遮熱効果を精度良く対比評価できるようにすることを目的とするものであり、全く同じスペック、性能の加熱ランプ及び温度計測センサを備えた遮熱効果評価手段を、一つの携帯ボックス内に形成された同じ構造の２つの室にそれぞれ同じ条件で配置する構成を実現することを課題とする。
【００１３】
本発明は、遮熱塗装板、非遮熱塗装板等の遮熱効果評価を建設現場、顧客（施工主）先や展示会等の説明現場等で手軽に行えることを目的とするものである。そのためには、ヒータ（熱源）となる遠赤外線ランプの調整等の作業は、厄介である。また、ヒータとなる遠赤外線ランプ等による照射熱は、実際は、かなりの高熱となることがあり、現場の作業員、顧客等への安全は担保しなくてはならない。
【００１４】
本発明は、熱源となる遠赤外線ランプの調整等の作業を要することなく、しかも、遠赤外線ランプによる使用者（作業員、顧客等）への危険のない構成とすることを課題とする。
【課題を解決するための手段】
【００１５】
本発明は上記課題を解決するために、蓋付きの箱型ケースと、第１及び第２の加熱用ランプと、第１及び第２の温度計測表示装置と、を備え、第１及び第２の塗装板の遮熱効果を比較評価する遮熱効果比較評価装置であって、箱型ケースは、同じ大きさの第１及び第２の収納室に区画されており、第１及び第２の収納室は、それぞれ内面に沿って断熱材が配置されており、第１及び第２の加熱用ランプは、それぞれ第１の塗装板及び第２の塗装板に対して互いに同じ一定の角度で照射可能に、蓋の内面に固定されており、第１及び第２の温度計測表示装置は、それぞれ第１の塗装板及び第２の塗装板の温度計測のための温度センサを備えており、第１及び第２の温度計測表示装置の温度センサは、それぞれ温度計測のために第１及び第２の収納室に置かれる第１の塗装板及び第２の塗装板に当接又は近接する高さに、第１及び第２の収納室に取り付けられている構成であることを特徴とする遮熱効果比較評価装置を提供する。
【００１６】
本発明は上記課題を解決するために、蓋付きの箱型ケースと、第１及び第２の加熱用ランプと、第１及び第２の温度計測表示装置と、を備え、第１及び第２の塗装板の遮熱効果を比較評価する遮熱効果比較評価装置であって、 箱型ケースは、平面視で長手方向中央で、区画板によって同じ大きさの第１及び第２の収納室に区画されており、第１及び第２の収納室は、それぞれ底面と左右前後の内側周面に沿って断熱材が配置されており、内側周面に沿って配置された断熱材の上には、第１の塗装板及び第２の塗装板を、水平に載置可能な枠板が配置されており、蓋と箱型ケースの間には、蓋を箱型ケース対して所定の角度で開いた状態で維持する支持アームが設けられており、第１及び第２の加熱用ランプは、それぞれ蓋を上記所定の角度で開いた状態において、第１の塗装板及び第２の塗装板に対して互いに同じ一定の角度で照射可能に、蓋の内面に取付杆によって固定されており、第１及び第２の温度計測表示装置は、それぞれ第１の塗装板及び第２の塗装板の温度計測のための温度センサと、温度表示器と、温度センサの計測出力を温度表示器に送るデータ線と、を備えており、第１及び第２の温度計測表示装置の温度センサは、それぞれ温度計測のために第１及び第２の収納室の枠板上に載置される第１の塗装板及び第２の塗装板に当接する高さに、第１及び第２の収納室に上方に向けて取り付けられている構成であることを特徴とする遮熱効果比較評価装置を提供する。
【００１７】
第１及び第２の収納室において、前記断熱材は、区画板に沿ってかつ区画板との間に、塗装板を収納可能な収納用隙間を残して配置されている構成であることが好ましい。
【００１８】
第１及び第２の温度計測表示装置の温度表示器は、それぞれ箱型ケースの外部に設けられており、データ線は、箱型ケースに形成された挿通孔を通して箱型ケースの内外に延びるように設けられている構成であることが好ましい。
【発明の効果】
【００１９】
本発明によれば次の効果を生じる。
（１）遮熱効果を温度計測して比較、評価する遮熱塗装板と非遮熱塗装板（又は異なる２枚の遮熱塗装板）を、単に、箱型ケースの所定の箇所に載置するだけで、温度センサに当接又は近接するので、遮熱塗装板と非遮熱塗装板（又は異なる２枚の遮熱塗装板）の裏面に温度センサを一々貼り付けたりすることなく、簡単に、しかも異なる複数の塗装板を次々と、遮熱効果が比較して評価することができる。
【００２０】
（２）遮熱塗装板と非遮熱塗装板（又は異なる２枚の遮熱塗装板）のそれぞれを温度計測するために、全く同じスペックの２つの加熱用ランプと２つの温度センサを、一つの箱型ケースに同じ状態で並べてそれぞれ独立的に配置する構成を採用したので、加熱用ランプの照射条件を調整したりすることなく、遮熱塗装板と非遮熱塗装板（又は異なる２枚の遮熱塗装板）を、同じ加熱条件及び温度計測条件で、精度良く温度計測することができ、その結果、遮熱効果を比較して正確に評価することができる。
【００２１】
（３）２つの加熱用ランプ及び温度センサを一つの蓋及び箱型ケースに設け、蓋を開けば、加熱用ランプの照射角度を調整したりすることなく、即、加熱用ランプで温度計測すべき塗装板し加熱し、温度計測を可能とするので、遮熱塗装板、非遮熱塗装板等の遮熱効果を評価する建設現場、顧客等や展示会等の説明現場等で手軽に使用でき、非使用時の運搬や格納に都合が良い。
【００２２】
（４）遮熱効果比較評価装置を構成する箱型ケースはその中央で左右２つの収納室に区画され、２つの収納室の底面及び内周面に沿って断熱材（例えば、断熱性樹脂材、セラミック断熱材等）が配置されているので、加熱用ランプで遮熱塗装板と非遮熱塗装板（又は異なる遮熱塗装板）を照射、加熱しても、箱型ケースの周囲への照射熱の伝導、放散が低減でき、使用者等への高熱による危険が防止できる。
【図面の簡単な説明】
【００２３】
【図１】本発明の遮熱効果比較評価装置の実施例の全体構成を示す斜視図である。
【図２】（ａ）は、上記実施例の遮熱効果比較評価装置の箱型ケースのケース本体の平面図であり、比較評価のためにセットした遮熱塗装板及び非遮熱塗装板を２点鎖線で示し、（ｂ）は（ａ）のＢ−Ｂ断面図である。
【図３】（ａ）は、図２（ｂ）のＡ−Ａ断面図であり、（ｂ）、（ｃ）は温度表示器の取付構造を説明する図であり、（ｂ）は図１のＢ−Ｂ断面図であり、（ｃ）は（ｂ）のＣ−Ｃ断面図であり、（ｄ）は支持アームの要部斜視図であり、（ｅ）、（ｆ）は、支持アームの動作を説明する図であり、（ｅ）は互いに回転可能な状態を示し、（ｆ）は係止状態を示している。
【図４】支持アームの別の構成を説明する図であり、（ａ）は支持アームの要部分解斜視図であり、（ｂ）〜（ｄ）は支持アームの要部断面図であり、（ｂ）は上側のアームと下側のアームが相対的に回転している時等、所定の角度に維持されていない状態を示し、（ｃ）は上側のアームと下側のアームが所定の角度に維持されている状態を示し、（ｄ）は（ｃ）のＤ部の拡大図を示す。
【図５】本発明の遮熱効果比較評価装置の変形例を示す図である。
【発明を実施するための形態】
【００２４】
本発明に係る遮熱効果比較評価装置を実施するための形態を実施例に基づき図面を参照して、以下説明する。
【実施例】
【００２５】
本発明に係る遮熱効果比較評価装置の実施例を図１〜５を参照して説明する。本発明に係る遮熱効果比較評価装置は、遮熱塗装板（遮熱塗料で塗装された塗装板）と非遮熱塗装板（遮熱性のない塗料で塗装された塗装板）、或いは異なる２枚の遮熱塗装板のように、２枚の塗装板の遮熱効果を比較して評価する装置である。
【００２６】
本発明に係る遮熱効果比較評価装置１は、図１に全体構成を示すように、蓋付きの箱型ケース２を備えているとともに、この箱型ケース２内に区画して設けられた第１及び第２の収納室１５、１７内に、ヒータである第１及び第２の加熱用ランプ３、４と第１及び第２の温度計測表示装置５、６（図２（ａ）参照）を、それぞれ独立して備えており、この箱型ケース２の蓋７を開くことで、第１及び第２の加熱用ランプ３、４の照射方向を調整することなく、自動的に同じ照射条件で２枚の遮熱塗装板をそれぞれ加熱し、遮熱効果比較評価に供することが可能な構成である。
【００２７】
箱型ケース２は、上方に開口した矩形の箱として形成されており、蓋７によって開閉可能である。本実施例では、説明の都合上、箱型ケース２の手前側を前方として、奥行き側を後方とし、箱型ケース２をその前方側から見て左右を左右方向という。
【００２８】
箱型ケース２と蓋７は、木材、耐熱性の樹脂材、又は金属材（例．アルミ材）等の材料で形成されている。木材は比較的熱伝導率が低いので、箱型ケース２と蓋７を木材で形成すると、ケース外への熱放散が比較的抑制可能となる。本実施例では、箱型ケース２と蓋７を木材で形成した構成とする。
【００２９】
箱型ケース２は、図１、図２（ａ）、（ｂ）に示すように、左右の側板１１、前板１２、背板１３及び底板１４を有し、本実施例では、平面視で左右方向に長い長方形である。箱型ケース２は、その平面視で長手方向（図中では左右方向）の中央において、仕切板１５で左右に第１の収納室１６と第２の収納室１７に仕切られている。第１及び第２の収納室１６、１７は、互いに同じ構成（同じ寸法、構造等）である。
【００３０】
第１及び第２の収納室１６、１７は、それぞれその底面及び内周面に沿って、断熱材が配置されている。断熱材としては、断熱性樹脂材、セラミック断熱材等を使用する。本実施例では、断熱材として発泡性の断熱性樹脂材２１（例えば、発泡スチロール板等）を使用し、断熱性樹脂材２１で囲まれた空間を形成している。
【００３１】
ここで、第１及び第２の収納室１６、１７について上記「内周面」とは、側板１１（第１の収納室１６については左の側板１１、第２の収納室については右の側板１１）、前板１２、仕切板１５及び背板１３から成る部分の内周面である。「底面」は、底板１４の内面である。
【００３２】
断熱性樹脂材２１は、底板１４、側板１１（第１の収納室１６については左の側板１１、第２の収納室については右の側板１１）、前板１２、及び背板１３の内面については、当接して配置される。
【００３３】
そして、図１、図２（ａ）、図３（ａ）に示すように、第１及び第２の収納室１６、１７について、それぞれ断熱性樹脂材２１は、仕切板１５に沿って、仕切板１５との間に若干の隙間介して配置されている。この隙間は、遮熱効果が比較評価される塗装板が、上方から挿入されて収納又は仮置き可能となる収納隙間２２として使用することができる。
【００３４】
なお、第１及び第２の収納室１６、１７において、それぞれ断熱性樹脂材２１は、第１及び第２の収納室１６、１７それぞれの内周面に沿って装脱自在に嵌め込むようにして配置される構成とする。
【００３５】
第１及び第２の収納室１６、１７それぞれの内周面に沿って装脱自在に嵌め込む前後左右の断熱性樹脂材２１は、嵌め込んだ際に、平面視で矩形となるようにそれぞれ周方向（横幅方向）の寸法を決めるが、その寸法を僅かに大きくすることで、断熱性樹脂材２１を上記内周面に沿って嵌め込んだ状態で、互いに隣接する断熱性樹脂材２１どうしが当接し、さらに断熱性樹脂材２１の端面と収納室の内面（例えば、収納室１６の左側の断熱性樹脂材２１の前後の端面と、前板１２及び背板１３の内面）が当接し、摩擦抵抗が生じ、嵌め込みが外れないような構成とする。
【００３６】
そのような構成とすることで、断熱性樹脂材２１を、第１及び第２の収納室１６、１７に対して、特に取付手段を設けることなく、装脱自在に嵌め込むことが可能となり、込んだ状態では、嵌め状態が緩んで内周面から外れにくくなる。
【００３７】
なお、図示はしないが、箱型ケース２の内面に面ファスナの鈎側面（又は輪側面）を貼り付け、断熱性樹脂材２１の外面に面ファスナの輪側面（又は鈎側面）を貼り付け、これら面ファスナで断熱性樹脂材２１を収納室の内周面及び底に装脱自在に取付けて配置する構成としてもよい。
【００３８】
このような構成とすることで、メインテナンス等において、断熱性樹脂材２１の交換を可能とし、また、後記するが、第１及び第２の温度計測表示装置５、６のデータ線４９を、その長さに応じて、断熱性樹脂材２１と前板１２の間、断熱性樹脂材２１と箱型ケース２の底板１４との間に、適宜、這わすようなことが可能となる。
【００３９】
第１及び第２の収納室１６、１７において、それぞれ内周面に沿って配置された断熱性樹脂材２１の上面に、枠板２３が載置されて配置されている。第１及び第２の収納室１６、１７についてそれぞれに配置された枠板２３は、左側の枠板、右側の枠板、前側の枠板及び後側の枠板である。
【００４０】
第１の収納室１６については、右側の枠板２３は仕切板１５に沿って断熱性樹脂材２１上に配置され、第２の収納室１７については、左側の枠板２３は仕切板１５に沿って断熱性樹脂材２１上に配置される。      
【００４１】
蓋７は、図１、図２（ａ）に示すように、背板１３の上端部に、ヒンジ２４を介して箱型ケース２に開閉可能に取り付けられている。そして、蓋７の左右の内側面と箱型ケース２の左右の側板１１の内側面の間には、それぞれ折りたたみ可能な支持アーム２５が取り付けられており、この支持アーム２５によって、蓋７を、開いた状態で箱型ケース２に対して所定の角度で維持できる。
【００４２】
支持アーム２５は、蓋７と左右の側板１１にそれぞれ回転可能に取り付けられた上下２つのアーム２６、２７を有し、２つのアーム２６、２７は、互いに回転可能であり、かつ蓋７を開いた状態で互いに係止可能となるように、連結部２８で連結されている。２つのアーム２６、２７の連結部２８自体は周知の構造を利用すれば良い。例えば、図３（ｄ）〜（ｆ）に示す次のような構成とする。
【００４３】
連結部２８は、枢支軸２９を有し、２つのアーム２６、２７を互いに回転可能に連結しており、連結部２８において、一方のアーム２６にはバネ３０で他方のアーム２７側に付勢されたとピン３１が設けられ、他方のアーム２７にはピン３１が嵌入可能な止め孔３２が形成されている。
【００４４】
図３（ｅ）の状態でアーム２６、２７を互いに回転させて蓋７を開いていき、図３（ｆ）に示すように、ピン３１が止め孔３２に嵌入すると、２つのアーム２６、２７はその回転が拘束されて、支持アーム２５は、上記のとおり蓋７を開いた状態で箱型ケース２に対して所定の角度で維持する。蓋７を押して閉じる際には、ピン３１はバネ３０の付勢力に抗して、止め孔３２から図３（ｅ）の状態に引っ込む。
【００４５】
なお、アーム２６、２７を互いに所定の角度に維持する連結部として、上記のようなバネ３０でピン３１を付勢するのではなく、一方のアームに設けた板バネで、玉を付勢し、他方のアームに設けた孔又は溝に係入する周知な構造を利用しても良い。このような板バネを利用した連結部の具体的な構造例を次に説明する。
【００４６】
図４（ａ）〜（ｄ）に示す連結部３３は、上下のアーム２６、２７を枢支軸２９で互いに回転可能とし、上側のアーム２６の内面に円形の凹部３４を設け、この凹部３４内に止め孔（又は止め溝）３５を形成する。下側のアーム２７には、止め孔３５に対応して係合玉３６が嵌合し出没可能な出没孔３７を設け、下側のアーム２７の外面には、中心側を円盤の板バネ３８にリベット等で固定し、周辺側を下側のアーム２７に対して固定することなくフリー状態として弾力的に当接するように設ける。
【００４７】
このような連結部３３によると、上下のアーム２６、２７が所定の角度で維持されていない時は、図４（ｂ）に示すように、板バネ３８は、定置孔３９に定置した係合玉３６を、出没孔３７から上側のアーム２６の凹部３４の内面に向けて付勢している。この状態では、上下のアーム２６、２７は互いに、枢支軸２９を中心にして回転可能である。
【００４８】
この回転の際は、係合玉３６は定置孔３９によって下側のアーム２７に定置された状態で、上側のアーム２６の凹部３４の内面に沿って周方向に移動する。上下のアーム２６、２７が互いに回転し、係合玉３６が、図４（ｃ）、（ｄ）に示すように、出没孔３７から上側のアーム２６の凹部３４に形成された止め孔３５内に係入すると、上下のアーム２６、２７は、回転は停止し、互いに所定の角度で維持される。
【００４９】
第１及び第２の加熱用ランプ３、４は、互いに同じ性能、スペックのもの（放射エネルギー、波長、加熱性能、所要電力等が同じのもの）が使用され、ヒータとなる光源であればどのようなランプでもよいが、本実施例では、加熱用ランプとして遠赤外線ランプを使用する。第１及び第２の加熱用ランプ３、４には、それぞれ電源に接続する電源コード４０が設けられている。なお、第１及び第２の加熱用ランプ３、４に接触し引火等しないように、電源コード４０は、その一部を、図示はしないが、蓋７に取付け可能な構成とすると良い。
【００５０】
第１及び第２の加熱用ランプ３、４は、それぞれ蓋７が、前記のとおり所定角度で開いて支持アーム２５で維持された際には、図１に示すように、下方に向けて遠赤外線を照射するように、取付杆４１によって蓋７の内面に固定されている。
【００５１】
後記するが、遮熱効果を比較評価する対象である２枚の塗装板（第１及び第２の塗装板）は、温度計測の際には、それぞれ第１及び第２の収納室１６、１７の枠板２３上に水平に載置されてセットされるが、これら２つ塗装板に対して、加熱用ランプ３、４の照射角度は互いに一定の角度、例えば、加熱用ランプ３、４の光軸が塗装板に対して略９０°となるように、加熱用ランプ３、４を取付杆４１によって蓋７の内面に取付け、加熱条件を同じにする。
【００５２】
加熱用ランプ３、４は、取付杆４１の取付杆４１によって枠板２３上の塗装板に対する照射角度を初期使用に際しては初期設定で調整可能な構成（例えば、取付杆４１を２以上の部材で構成し互いの固定角度を調整できる構成）としても良い。
【００５３】
しかしながら、初期設定した後は、照射角度が何らかの原因でズレた場合等、メインテンスが必要となったような場合を除いて、再度、調整不要な構造とすることは、蓋７を開けば、即、加熱用ランプ３、４によって２枚の塗装板を同じ条件で加熱し、温度計測可能であるという、本発明の特徴を活かすことができるので、好ましい。
【００５４】
なお、第１及び第２の加熱用ランプ３、４に、図１に示すように、安全囲い籠４２を装着する構成とすることにより、利用者等が加熱用ランプ３、４に接触して火傷することを防止する。
【００５５】
遮熱効果比較評価装置１の非使用時に蓋７を閉めると、第１及び第２の加熱用ランプ３、４と、加熱用ランプ３、４に係る電源コード４０、安全囲い籠４２及び取付杆４１は、箱型ケース２の第１及び第２の収納室１６、１７内に収納されるように、それぞれ構成、寸法等が決められる。
【００５６】
図１、図２（ａ）、（ｂ）、図３（ａ）に示すように、第１及び第２の温度計測表示装置５、６は、それぞれ温度センサ４７、温度表示器４８及びデータ線４９を備えており、温度センサ４７で得られた計測データは、データ線４９によって温度表示器４８に送信され、温度表示器４８は計測データに基づき、計測温度をデジタル表示するように構成されている。なお、このような構成の温度計測表示装置５、６は、周知の温度計測表示装置を利用すればよい。
【００５７】
本実施例では、温度表示器４８は、図１、図２（ａ）、（ｂ）に示すように、箱型ケース２の外部に設けられており、前板１２に着脱可能に装着手段で装着されている。この装着手段としては、いろいろな構成が考えられるが、一例として、本実施例では、次のような構成とした。
【００５８】
図３（ｂ）、（ｃ）に示すように、温度表示器４８の裏面（後面）に鍵穴状の嵌合孔５４（下部の丸孔と、丸孔の径より小さな幅の上部の溝孔が一体の孔）を形成するとともに、前板１２の前面左右に、それぞれ頭部５６（丸孔より小径かつ溝孔の幅より大径）を有する突起５５を突設した構成とし、嵌合孔５４に突起５５を、抜け止めかつ着脱可能に嵌着して引っ掛けることで、温度表示器４８を前板１２に装着する構成としている。
【００５９】
別の装着手段として、図５に変形例の遮熱効果比較評価装置５８を示すように、前板１２の上端の左右において、それぞれその一部に切欠き５９を形成し、この切欠き５９に温度表示器６０を嵌着した構成としてもよい。なお、遮熱効果比較評価装置５８は、温度表示器６０の装着手段以外の構成は、遮熱効果比較評価装置１と同じである。
【００６０】
さらに別の装着手段として、図示はしないが、前板１２又は温度表示器４８にマグネットを取付け、温度表示器４８又は前板１２に鉄板等の磁石吸着材を取り付けて、着脱可能な構成としてもよい。
【００６１】
温度センサ４７としては、サーミスタ、白金測温抵抗体等を使用する。図２（ａ）、（ｂ）、図３（ａ）に示すように、第１及び第２の収納室１６、１７において、それぞれ温度センサ４７を取り付けるための取付片６５が、断熱性樹脂材２１を通して箱型ケース２の前板１２に装着されている。
【００６２】
取付片６５の先端部が、それぞれ収納室１６、１７内に、水平に向かうように設けられおり、先端部に、温度センサ４７が着脱可能に上方に向けて装着可能な構成となっている。具体的には、図３（ａ）に示すように、取付片６５の先端部には、平面視で鍵穴状の取付孔６６（前記嵌合孔５４と同様に円孔と溝孔から一体に成る孔）が形成されており、この取付孔６６に太径部６７を有する温度センサ４７を着脱自在に装着可能である（図２（ｂ）、図３（ａ）参照）。
【００６３】
温度センサ４７を取付片６５へ装着する構成は、温度計測ないし遮熱効果を比較評価すされる２枚の塗装板（第１及び第２の塗装板）との関係で、次のような構成とする。例えば、遮熱効果を比較評価する遮熱塗装板６８（第１の塗装板）と非遮熱塗装板６９（第２の塗装板）は、それぞれ第１及び第２の収納室１６、１７において、図２（ａ）、（ｂ）に示すように、枠板２３の上面に載置して水平にセットするが、このセット状態において、温度センサ４７は、遮熱塗装板６８と非遮熱塗装板６９の裏面（塗装膜の形成された側と反対側の下面）にそれぞれ当接する高さに取付片６５に装着される構成とする。
【００６４】
要するに、本発明に係る遮熱効果比較評価装置１では、温度センサ４７は、従来例のように、温度の計測される塗装板自体に貼り付けられているのではなく、温度計測の際に塗装板を遮熱効果比較評価装置１にセットすれば、自動的に、塗装板の裏面に当接する構成である。そのために、本発明によれば、異なる複数の塗装板の温度測定を次々に容易に行うことが可能となる。なお、温度センサ４７は、塗装板に対して、当接させるのではなく、近接させる構成（例えば、５〜２０ｍｍ程度離れた構成）として、塗装板の直下の温度を計測する構成としてもよい。
【００６５】
本実施例では、第１及び第２の収納室１６、１７のそれぞれに対応して、箱型ケース２の前板１２に、図２（ａ）、（ｂ）及び図３（ａ）に示すように、温度センサ４７及びデータ線４９の通過可能な大きさの挿通孔７４が形成されており、温度センサ４７及びデータ線４９がこの挿通孔７４を通して第１及び第２の収納室１６、１７内に導入されている。
【００６６】
第１及び第２の収納室１６、１７内に導入されたデータ線４９は、図２（ａ）、（ｂ）、図３（ａ）に示すように、長さに応じて、例えば、前板１２及び底板１４と、断熱性樹脂材２１との間に沿うように配設され、温度センサ４７は、上記のとおり取付片６５に取り付けられている構成とした。挿通孔７４とデータ線４９の隙間は、挿脱可能な埋め込み材７５（例えば、軟質性樹脂材等）が挿入され埋め込まれて閉じられている。
【００６７】
このようにして、本実施例では、第１及び第２の温度計測表示装置５、６の温度表示器４８は、箱型ケース２の外部に設けられ、データ線４９によって、箱型ケース２内に設けられた温度センサ４７と接続された構成とする。
【００６８】
（作用）                                                                          以上の構成から成る遮熱効果比較評価装置１の作用を、以下説明する。遮熱効果比較評価装置１は、非使用時には、第１及び第２の加熱用ランプ３、４、電源コード４０、安全囲い籠及び取付杆４１は、それぞれ箱型ケース２の第１及び第２の収納室１６、１７内に収納し、蓋７を閉じておく。温度表示器４８は、箱型ケース２の前板１２に装着しておくとよい。
【００６９】
例えば、顧客先や展示会等に出向いて、遮熱塗装板６８（第１の塗装板）と非遮熱塗装板６９（第２の塗装板）の遮熱効果の違いを、遮熱効果比較評価装置１によって、実証的に比較して説明するような場合は、遮熱塗装板６８と非遮熱塗装板６９を、それぞれ第１及び第２の収納室１６、１７に設けられた収納隙間２２に収納しておくときわめて便利である。
【００７０】
遮熱効果比較評価装置１は、上記のとおり、第１及び第２の加熱用ランプ３、４等を箱型ケース２内に収納することができるので、非使用時における、使用現場（例えば、顧客や展示会等の説明会場、塗装現場等）への運搬、事務所内における保管、格納等の取り扱いがし易い。
【００７１】
使用に際しては、図１に示すように、支持アーム２５によって、蓋７を箱型ケース２に対して所定の角度の開いた状態に維持すると、第１及び第２の加熱用ランプ３、４が自動的に第１及び第２の収納室１６、１７に向けて、互いに同じ照射角度で定置される。
【００７２】
そして、断熱性の効果を比較評価する対象である、例えば、遮熱塗装板６８と非遮熱塗装板６９を、それぞれ第１及び第２の収納室１６、１７の枠板２３の上面に、塗装面を上向きにして載置し水平にセットする（図２（ａ）、（ｂ）参照）。
【００７３】
すると、第１及び第２の収納室１６、１７に設けられた温度センサ４７の上端が、それぞれ遮熱塗装板６８と非遮熱塗装板６９の裏面（塗装膜の形成される側と反対側の下面）に自動的に当接する。そして、電源コード４０を介して第１及び第２の加熱用ランプ３、４を電源に接続すると、第１及び第２の加熱用ランプ３、４は、遠赤外線を遮熱塗装板６８と非遮熱塗装板６９に均等に照射して加熱する。
【００７４】
このように遮熱塗装板６８と非遮熱塗装板６９を加熱すると、数分〜１０分程度で、それぞれ温度が上昇し、第１及び第２の温度計測表示装置５、６によってそれぞれ温度計測され、温度表示器４８にデジタル表示される。遮熱塗装板６８は、非遮熱塗装板６９に比較して遮熱効果を発揮し、その裏面の温度は低く計測される。
【００７５】
遮熱効果比較評価装置１を使用し、遮熱塗装板６８と非遮熱塗装板６９の温度を計測して、第１及び第２の温度計測表示装置５、６の温度表示器４８で比較することで、非遮熱塗装板６９に比較して遮熱塗装板６８は遮熱効果があること、またその遮熱効果はどの程度に差があること等を評価することができ、また遮熱効果を、顧客等に実証的、視覚的に示して説明することが可能となる。   
【００７６】
上記のとおり遮熱塗装板６８と非遮熱塗装板６９の遮熱効果を比較できるだけでなく、異なる２枚の遮熱塗装板（第１及び第２の塗装板）を、それぞれ枠板２３の上面に載置しセットし、第１及び第２の加熱用ランプ３、４で加熱し、第１及び第２の温度計測表示装置５、６によってそれぞれ温度計測するで、異なる２枚の遮熱塗装板の遮熱効果を比較して評価することができる。
【００７７】
以上のとおり、本発明に係る遮熱効果比較評価装置１によれば、２枚の塗装板を、それぞれ第１及び第２の収納室１６、１７の枠板２３の上面に、塗装面を上向きにして載置し水平にセットするだけで、温度センサ４７の上端が、塗装板の裏面に当接するので、従来技術のように、温度センサを温度計測する塗装板の裏面に一々貼り付けるようなことをすることなく、きわめて簡単に断熱性を比較して評価することができる。
【００７８】
また、本発明に係る遮熱効果比較評価装置１によれば、蓋７を開くことによって、第１及び第２の加熱用ランプ３、４が、遮熱効果を比較する２枚の塗装板の方向に向けて同じ照射角度及び加熱条件でセット可能となるので、第１及び第２の加熱用ランプ３、４の照射角度を同じ条件に調整する等の調整作業をする必要がない。加熱用ランプの照射角度の初期調整が必要な場合は、初期調整を一旦すれば、その後の使用時の都度調整の必要がない。
【００７９】
ところで、第１及び第２の加熱用ランプ３、４によって２枚の塗装板がそれぞれ加熱されると、塗装板の下方の第１及び第２の収納室１６、１７内は高温となって熱がこもり、その熱が箱型ケース２ないし箱型ケース２の周囲に伝導、放散して、使用者等に好ましくない。
【００８０】
本発明に係る遮熱効果比較評価装置１によれば、第１及び第２の収納室１６、１７は、それぞれ内周面及び底面に沿って断熱性樹脂材２１を配置したので、箱型ケース２又は箱型ケース２の周囲への熱の伝導、放散が低減でき、使用者は、安心して使用できる。
【００８１】
また、断熱性樹脂材２１を設けることで、第１及び第２の収納室１６、１７内の温度センサ４７は、それぞれ外部の温度に左右されることなく、均等な条件で、塗装板の温度計測が可能となる。
【００８２】
なお、温度計測表示装置５、６は長時間使用すると、温度センサ４７が劣化し、計測精度が低下する場合がある。そこで、遮熱効果比較評価装置１のメインテナンス等の際に、温度計測表示装置５、６を新しいものに交換する場合は、埋め込み材７５を挿通孔７４から抜き、温度センサ４７を取付片６５から外し、さらに、第１及び第２の収納室１６、１７の少なくとも前側の断熱性樹脂材２１を、必要に応じて一部又は全て収納室１６、１７内から取り外す。
【００８３】
そして、挿通孔７４を通して、データ線４９及び温度センサ４７を箱型ケース２の外側に取り出し、替わりに、新しい温度センサ４７及びデータ線４９を挿通孔７４から収納室１６、１７内に導入して、データ線４９を断熱性樹脂材２１と箱型ケース２の内面（箱型ケース２の前板１２、底板１４）に沿わして長さを適宜調整する。
【００８４】
その後、断熱性樹脂材２１を箱型ケース２の底面及び内周面に沿わして配置し、データ線４９を箱型ケース２と断熱性樹脂材２１の間に配置してから、温度センサ４７を取付片６５に取り付ける。
【００８５】
以上、本発明に係る遮熱効果比較評価装置を実施するための形態を実施例に基づいて説明したが、本発明はこのような実施例に限定されるものではなく、特許請求の範囲に記載された技術的事項の範囲内でいろいろな実施例があることは言うまでもない。
【００８６】
なお、本発明では、一つの箱型ケースに、収納室、加熱用ランプ及び温度計測表示装置から成るものを２組並設したが、一つの箱型ケースに一つの加熱用ランプ及び温度計測表示装置を設け、本発明と同様に、収納室の内面に沿って断熱性樹脂材を配置し、塗装板を左右前後の枠板の上面に載置すれば、温度センサに当接するような遮熱効果評価装置に変形することもできる。
【産業上の利用可能性】
【００８７】
本発明に係る遮熱効果比較評価装置は上記のような構成であるから、塗装板の遮熱効果の評価だけでなく、その他の建築資材（壁板、外壁板等）、一般機器の部材等の遮熱効果や熱伝導率の比較評価にも適用可能である。
【符号の説明】
【００８８】
１  遮熱効果比較評価装置                             
２  箱型ケース                                       
３  第１の加熱用ランプ                               
４  第２の加熱用ランプ                               
５  第１の温度計測表示装置                           
６  第２の温度計測表示装置                           
７  蓋                                               
１１  左右の側板                                     
１２  前板                                          
１３  背板                                          
１４  底板                                          
１５  仕切板                                         
１６  第１の収納室                                   
１７  第２の収納室                                   
２１  断熱性樹脂材                                   
２２  収納隙間                                       
２３  枠板                                          
２４  ヒンジ                                         
２５  支持アーム                                     
２６  支持アームの上側のアーム                       
２７  支持アームの下側のアーム                       
２８  支持アームの連結部                             
２９  支持アームの枢支軸                             
３０  バネ                                           
３１  ピン                                           
３２  止め孔
３３  別構造の支持アームの連結部
３４  上側のアーム内面の円形の凹部
３５  上側のアームの止め孔
３６  係合玉
３７  下側のアームの出没孔
３８  下側のアームに取り付けられた板バネ
３９  板バネにおける係合玉の定置孔
４０  加熱用ランプの電源コード                       
４１  取付杆                                         
４２  安全囲い籠                                    
４７  温度センサ                                     
４８  温度表示器                                     
４９  データ線                                       
５４  温度表示器鍵穴状の嵌合孔                       
５５  前板に突設した突起
５６  突起の頭部                             
５８  遮熱効果比較評価装置の変形例                           
５９  前板の切欠き                                   
６０  温度表示器                                     
６５  温度センサの取付片                             
６６  取付片の取付孔
６７  温度センサの大径部                                 
６８  遮熱塗装板                                     
６９  非遮熱塗装板                                   
７４  前板の挿通孔                                   
７５  埋め込み材                                     
【図１】
2020046320.tif 000003
【図２】
2020046320.tif 000004
【図３】
2020046320.tif 000005
【図４】
2020046320.tif 000006
【図５】
2020046320.tif 000007